(57)【要約】【課題】従前の排水勾配を維持して排水性能を確保しつつ、土手部の見掛け上の高さ及び下端の傾斜を小さくして意匠性を向上させた防水床パンを提供する。【解決手段】入浴者が洗髪洗体する洗い場部と、浴槽が載置される浴槽載置部と、上記浴槽の上記洗い場部側の側面を掩蔽する浴槽エプロンと、該浴槽エプロンを支承すべく上記洗い場部と上記浴槽載置部の境界に突設された土手部と、該土手部に近接配置され上記洗い場部及び浴槽載置部で発生した水を排水する排水トラップとを有する防水床パンにおいて、上記洗い場部は、上記排水トラップを指向して下降する排水勾配が設けられ、該洗い場部の上記土手部側端部と該土手部の下端との間に形成される入隅が、上記土手部の側面の一定の高さの位置を始点とする曲率半径Ｒの円弧面に形成され、上記曲率半径Ｒは、上記始点から上記洗い場部端部までの高さが変動するのに従ってその大きさが変動する。【選択図】  図４
2006194018.tif 000002
【特許請求の範囲】
【請求項１】
入浴者が洗髪洗体する洗い場部と、浴槽が載置される浴槽載置部と、上記浴槽の上記洗い場部側の側面を掩蔽する浴槽エプロンと、該浴槽エプロンを支承すべく上記洗い場部と上記浴槽載置部の境界に突設された土手部と、該土手部に近接配置され上記洗い場部及び浴槽載置部で発生した水を排水する排水トラップとを有する防水床パンにおいて、
上記洗い場部は、上記排水トラップを指向して下降する排水勾配が設けられ、該洗い場部の上記土手部側端部と該土手部の下端との間に形成される入隅が、上記土手部の側面の一定の高さの位置を始点とする曲率半径Ｒの円弧面に形成され、上記曲率半径Ｒは、上記始点から上記洗い場部端部までの高さが変動するのに従ってその大きさが変動することを特徴とする防水床パン。
【請求項２】
前記洗い場部は、その四周に一定の幅で表面が滑に仕上げられたボーダー部と、その残余の部分であって表面が粗に仕上げられた主部とを有し、該主部は、前記土手部の前記始点近傍まで延出していることを特徴とする請求項１記載の防水床パン。
【発明の詳細な説明】
【技術分野】
【０００１】
本発明は、ユニットバス等の床を構成する防水床パンに係り、特に浴槽側面を掩蔽する浴槽エプロンを支承する土手部を有する防水床パンに関する。
【背景技術】
【０００２】
ユニットバス或いはシステムバスの構造は、大別するとハーフ構造とフルパン構造とに分けられる。前者は、洗い場付浴槽或いは洗い場一体型浴槽とも謂われ、架台の上に洗い場の床と浴槽とを一体で形成し、浴槽のリム上に壁パネルを立設するものである。後者は、床全面に架台を介して敷設された防水パン上に浴槽を載置し、壁パネルも防水パン外縁上に周設されるものである。
【０００３】
このうち、フルパン構造の防水床パンは、図８に示すように、入浴者が髪や体を洗う洗い場部１０１と、浴槽１０８が載置される浴槽載置部１０２とに区画され、その境界部分には、浴槽１０８の、洗い場部１０１側から視認可能な側面を掩蔽するエプロン１０３が載置される土手部１０４が立設される。
【０００４】
そして、浴槽載置部１０２の、この土手部１０４近傍には浴槽排水口１０６が、また、洗い場部１０１のこの土手部１０４近傍には洗い場排水口１０７が設けられ、これらは防水床パン１００裏面に取設された排水トラップ（図示せず）に接続されて、汚水はここに集められた後外部に排水される。
【０００５】
防水床パン１００の洗い場部１０１には、洗い場部１０１で使用された水を排水トラップ１０５へと導く排水勾配Ｓが設けられ、洗い場部１０１でも低い部分となる土手部１０４近傍に集水されるので、この土手部１０４には、この洗い場排水が浴槽載置部１０２側へと溢れ出ることを防止するため、一定以上の高さが求められる。これは、図８（ａ）に示すように、洗い場部１０１と浴槽載置部１０２とが一体形成された一体式のものであっても（例えば、特許文献１参照。）、図８（ｂ）に示すように、別体に形成された別体式のものであっても（例えば、特許文献２参照。）同じである。また、排水トラップが土手部１０４の長さ方向中央にあっても、或いはどちらかの端部にあってもまた同様である。
【特許文献１】特開２００１−２４１０７７号公報
【特許文献２】特開２００１−２１４４８７号公報
【発明の開示】
【発明が解決しようとする課題】
【０００６】
しかしながら、上述のように排水勾配Ｓをとると、例えば排水トラップ１０５が土手部１０４の長さ方向中央にある場合、土手部１０４端部ではその高さがある程度以下で納まっても、排水トラップ１０５近傍ではどうしても大きくなって見掛けが良くない。また、土手部１０４下端と洗い場部１０１の土手部１０４側端部との間に形成される入隅が排水トラップ１０５側に下降するスロープに形成されるので、これが排水勾配Ｓの存在を不必要に強調してしまう点にも難がある。排水トラップ１０５が土手部１０４端部に設けられる場合は、排水勾配Ｓの大きさは同じながら斜面が長くなるので、この傾向はさらに顕著になる。
【０００７】
本発明は、上述した事情を考慮してなされたもので、従前の排水勾配を維持して排水性能を確保しつつ、土手部の見掛け上の高さ及び下端の傾斜を小さくして意匠性を向上させた防水床パンを提供することを目的とするものである。
【課題を解決するための手段】
【０００８】
本発明に係る防水床パンは、上述した課題を解決するために、請求項１に記載したように、入浴者が洗髪洗体する洗い場部と、浴槽が載置される浴槽載置部と、上記浴槽の上記洗い場部側の側面を掩蔽する浴槽エプロンと、該浴槽エプロンを支承すべく上記洗い場部と上記浴槽載置部の境界に突設された土手部と、該土手部に近接配置され上記洗い場部及び浴槽載置部で発生した水を排水する排水トラップとを有する防水床パンにおいて、上記洗い場部は、上記排水トラップを指向して下降する排水勾配が設けられ、該洗い場部の上記土手部側端部と該土手部の下端との間に形成される入隅が、上記土手部の側面の一定の高さの位置を始点とする曲率半径Ｒの円弧面に形成され、上記曲率半径Ｒは、上記始点から上記洗い場部端部までの高さが変動するのに従ってその大きさが変動するものである。
【０００９】
前記洗い場部は、好適には、請求項２に記載したように、その四周に一定の幅で表面が滑に仕上げられたボーダー部と、その残余の部分であって表面が粗に仕上げられた主部とを有し、該主部は、前記土手部の前記始点近傍まで延出したものとすることができる。
【発明の効果】
【００１０】
本発明に係る防水床パンによれば、従前の排水勾配を維持して排水性能を確保しつつ、土手部の見掛け上の高さ及び下端の傾斜を小さくして意匠性を向上させることができる。
【００１１】
本発明は、最も汚れやすい排水トラップ近くの床面／土手部間のＲが大きくなり、清掃がし易くなるという効果が得られる。
【発明を実施するための最良の形態】
【００１２】
本発明に係る防水床パンの実施形態について、添付図面を参照して説明する。図１は、本実施形態に係る防水床パン１及びこの防水床パン１に載置された浴槽５の概要を示す斜視図であり、図２は同縦断面図、そして、図３は防水床パン１の一部を構成する洗い場部２の平面図である。
【００１３】
この実施形態に示された防水床パン１は、図１に示すように、ＦＲＰ等の樹脂材によって形成された洗い場部２と、発泡ポリプロリレンや発泡スチロール等の断熱材によって形成された浴槽載置部３とが接合一体化された別体式のものである。
【００１４】
この防水床パン１の洗い場部２と浴槽載置部３との接続部分には、図２に示すように土手部４が立設される。また、洗い場部２の最も低い位置には洗い場排水口８が、また浴槽載置部３の最も低い位置には浴槽排水口９が設けられ、これらは防水床パン１裏に取設された排水トラップ７に接続される。
【００１５】
浴槽載置部３には、支持脚に支持されて浴槽５が載置される。そして、浴槽５の洗い場部２側リム先端と土手部４の天端との間には、浴槽５の側面を掩蔽する浴槽エプロン６が架設される。
【００１６】
洗い場部２は、図３に示すように、その四周中浴槽載置部３を除く３方の最外縁には、ユニットバスの壁面を構成する壁パネルが立設される壁パネル載置部２ａが形成され、浴槽載置部３に面する端部には、浴槽載置部３との接続部２ｂが形成される。この接続部２ｂが土手部４の洗い場部２側の側面を構成する。
【００１７】
洗い場部２の外縁は、その全周に亘って同一レベルに形成され、そこから、土手部４の長さ方向中央に形成された洗い場排水口８に向かって下降する排水勾配Ｓが設けられる。
【００１８】
また、洗い場部２の中央部略全面は、入浴者が足を滑らせて転倒しないように表面が粗に仕上げられた主部２ｃとして形成され、一方、その外側で壁パネル載置部２ａや接続部２ｂの内側に当たる部分は、一定の幅で面が滑に仕上げられたボーダー部２ｄとして形成される。
【００１９】
なお、洗い場部２の土手部４側端部とこの土手部４の下端との間に形成される入隅には、図３において接続部２ｂに沿った斜線部として示すように、後述する曲率半径Ｒが異なる円弧面Ｑに形成される。
【００２０】
図２中の土手部４周りを拡大した図４に、洗い場部２の接続部２ｂと浴槽載置部３側の接続部３ａとの接続構造を示す。洗い場部２側の接続部２ｂは、洗い場部２側の床が浴槽載置部３側の床と対向する辺の全長に亘って、床面から折曲起立し、その上端付近において浴槽載置部３側の床方向略水平に延出するフランジ３０ａを備える。このフランジ３０ａ上面には、その全長に亘り、エラストマー等の止水パッキン３２が載置される。
【００２１】
同様に、浴槽載置部３側の接続部３ａは、浴槽載置部３側の床が洗い場部２側の床と対向する辺の全長に亘って、床面から折曲起立し、その上端付近、洗い場部２の接続部２ｂのフランジ３０ａより高い位置に、洗い場部２側の床方向略水平に延出する鍔部４０ａを備える。この鍔部４０ａには、その全長に亘り、ステンレス鋼板等が略コ字状に折曲形成された支持材４１が外嵌される。
【００２２】
フランジ３０ａにはねじ孔３０ｂが所定の間隔で複数穿設され、フランジ４０ａ及び支持材４１には挿通孔４０ｂ，４１ａ，４１ｂが、また、止水パッキン３１には挿通孔３１ａが、それぞれ所定の間隔で複数穿設されている。そして、ねじ３２が、これらのねじ孔３０ｂ及び挿通孔４１ａ，４１ｂ，４０ｂ，３１ａに連通嵌挿され、洗い場側接続部３０のフランジ３０ａと浴槽側接続部４０のフランジ４０ａとが緊結される。
【００２３】
ねじ３２は、フランジ３０ａのねじ孔３０ｂとのみ螺合し、フランジ４０ａの挿通孔４０ｂ及び支持材４１の挿通孔４１ａ，４１ｂとは螺合せず、遊挿される。したがって、フランジ４０ａが柔軟な材料で形成されていても、ねじ３２の螺進に伴って挿通孔４０ｂが損壊することはない。また、フランジ４０ａは、剛性のある支持材４１の上辺及び下辺に挟持されるので、ねじ３２の螺進に伴って押圧変形することもなく、洗い場部２側の床と浴槽載置部３側の床は、堅固に接続される。
【００２４】
浴槽エプロン６は、こうして接続された洗い場部２側の接続部２ｂ上に、目地材４５を介して支承される。
【００２５】
続いて、本発明の主要部を構成する、洗い場部２の土手部４側端部と土手部４の下端との取り合い詳細について、図４を参照して説明する。図４（ａ）は、図１のＡ−Ａ矢視図すなわち土手部４の端部付近の縦断面図であり、図４（ｂ）は、図１のＢ−Ｂ矢視図、すなわち土手部４の長さ方向中央付近の縦断面図である。
【００２６】
図４（ａ）に示すように、土手部４の端部付近では、洗い場部２の土手部４側端部とこの土手部４の下端との交差部に形成される入隅は、土手部４の側面上端から一定の高さＨ下がった位置Ｐを基準点（始点）として、この基準点Ｐから接続部２ｂ側面に対して垂直に伸ばされた線上にある点Ｏ１を中心とする曲率半径Ｒ１の円弧面Ｑ１を形成し、この円弧面Ｑ１は、接続部２ｂ及び洗い場部２のボーダー部２ｄと滑らかに接続されている。
【００２７】
土手部４の長さ方向中央付近においても同様に、図４（ｂ）に示すように、洗い場部２の土手部４側端部とこの土手部４の下端との間に形成される入隅は、土手部４の側面上端から一定の高さＨ下がった位置Ｐを基準点として、この基準点Ｐから接続部２ｂ側面に対して垂直に伸ばされた線上にある点Ｏ２を中心とする曲率半径Ｒ２の円弧面Ｑ２を形成し、この円弧面Ｑ２は、接続部２ｂ及び洗い場部２のボーダー部２ｄと滑らかに接続されている。
【００２８】
ところで、土手部４の端部近辺は排水勾配Ｓの水上、長さ方向中央近くは水下となるので、排水トラップ６に近い土手部４の長さ方向中央付近の方が洗い場部２の床面が低くなり、両図を比較すれば解るように、これに伴い土手部４の高さも中央近辺の方が大きくなる。
【００２９】
このように土手部４の高さが図４（ａ）に示すものから図４（ｂ）に示すものへと大きくなっても、円弧面Ｑ１，Ｑ２の始点である基準点Ｐの高さは変わらないので、土手部４の高さの変動に合わせて曲率半径Ｒを大きくすることにより、円弧面Ｑの大きさも変動して洗い場部２と滑らかに接続させ留ことができる。
【００３０】
これにより、同図中破線で示した従来の洗い場部２とこの土手部４との接続部に比べてその境界が曖昧となり、土手部４の立ち上がりが目立たなくなって意匠性が向上する。それでいて、洗い場部２の排水勾配自体は従前のものと同じなので、同レベルの排水性能を維持することができる。
【００３１】
また、洗い場床／土手部間の入り隅部分、特に排水トラップ近傍の水下部分は、最も汚れやすい箇所であるが、この入り隅部分の曲率半径Ｒが大きくなるので、清掃が容易になる。しかも、土手部側面は、浴槽エプロン同様略垂直な面を形成する上に、低い位置にあるため、清掃時に特に力を入れ辛い部分であるが、この垂直面の面積が少なくなるので、清掃性は著しく向上する。
【００３２】
なお、本実施形態では、円弧面Ｑ１，Ｑ２の中心Ｏ１，Ｏ２は、基準点Ｐから接続部２ｂ側面に対して垂直に伸ばされた線上に設定したものを例に採って説明したが、円弧面Ｑ１，Ｑ２の中心Ｏ１，Ｏ２の位置はこれに限られず、例えば図５に示すように、洗い場部２の接続部２ｂ側面から角度θで伸ばされた線上に設定してもよい。
【００３３】
また、本実施形態に係る防水床パン１では、円弧面Ｑは土手部４中央において洗い場排水口８によって切断されている。しかしながら、図６に示すように、洗い場排水口８を洗い場部２側にシフトして、円弧面Ｑが連続する意匠とすることもできる。この構成によれば、洗い場部２の有効面積が若干減少するものの、土手部４廻りの意匠性が向上する。
【００３４】
さらに、図７に示すように、洗い場部２の主部２ａを接続部２ｂの基準点Ｐ近くまで延出させる、すなわち、土手部４の側面まで粗面に形成してもよい。これによれば、土手部４表面の滑面部が小さくなるので、視覚的により立ち上がりが小さく見える効果が得られる。
【００３５】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【００３６】
例えば、本実施形態では、排水トラップが土手部長さ方向中央にある場合、すなわち、排水勾配が左右対称に中央に向かって下降するように設けられた場合を例にとって説明したが、排水トラップの位置はこれに限らず、土手部の一端に設けられ、排水勾配が洗い場部上に片流れ式に設けられたものであってもよい。
【００３７】
また、本実施形態では、洗い場部と浴槽載置部とが別体に成形される別体式の防水床パンを例に採って説明したが、これらが一体に成形された一体式のものであっても勿論差し支えない。
【図面の簡単な説明】
【００３８】
【図１】本発明に係る防水床パンの実施形態の概要を示す斜視図。
【図２】本実施形態に係る防水床パン及び浴槽の縦断面図。
【図３】本実施形態に係る防水床パンの平面図。
【図４】本実施形態に係る防水床パン土手部の詳細図で、（ａ）は図１のＡ−Ａ矢視図、（ｂ）は図１のＢ−Ｂ矢視図。
【図５】入り隅部Ｒの詳細を説明する縦断面図。
【図６】本実施形態の変形例に係る防水床パンの平面図。
【図７】本実施形態の他の変形例に係る防水床パンの土手部縦断面図。
【図８】従来の防水床パンの土手部を示す図で、（ａ）は、一体式防水床パン、（ｂ）は別体式防水床パンを示す斜視図。
【符号の説明】
【００３９】
１  防水床パン
２  洗い場部
２ａ  壁パネル載置部
２ｂ  接続部
２ｃ  主部
２ｄ  ボーダー部
３  浴槽載置部
３ａ  接続部
４  土手部
５  浴槽
６  浴槽エプロン
７  排水トラップ
８  洗い場排水口
９  浴槽排水口
３０ａ  フランジ部
３０ｂ  ねじ孔
３０ｃ  挿通孔
３１  止水パッキン
３１ａ  挿通孔
３２  ねじ
４０ａ  フランジ部
４０ｂ  挿通孔
４１  支持材
４１ａ，４１ｂ  挿通孔
４１ｃ  ねじ孔
４５  目地材
Ｏ  円弧中心
Ｐ  基準点（始点）
Ｑ  円弧面
Ｒ  曲率半径
Ｓ  排水勾配
【図１】
2006194018.tif 000003
【図２】
2006194018.tif 000004
【図３】
2006194018.tif 000005
【図４】
2006194018.tif 000006
【図５】
2006194018.tif 000007
【図６】
2006194018.tif 000008
【図７】
2006194018.tif 000009
【図８】
2006194018.tif 000010